(57)【要約】      （修正有）【課題】フロントガラス等の塗布対象に対して均一に液状コーティング剤を塗布することができ、手が汚れるのも抑制可能な塗布具を提供する。【解決手段】塗布具１は、１つの頂点５Ａを挟んで隣接する一対の直線状の端縁５Ｂ、５Ｃが頂点５Ａにて鋭角に交わる形状を有する平板状の基部５と、基部５の片面に設けられ、指先が頂点５Ａ方向を向くように片面上に手が載せられたときに当該手の少なくとも一部の指で挟まれることによって基部５を重力に抗して保持可能とするように構成された保持部３Ａ、３Ｂと、基部５の他面に設けられ、液状コーティング剤塗布用の布を他面に沿って装着可能とするように構成された装着部７と、を備える。【選択図】図１
0003206612.tif 000002
【実用新案登録請求の範囲】
【請求項１】
１つの頂点（５Ａ）を挟んで隣接する一対の直線状の端縁（５Ｂ，５Ｃ）が前記頂点にて鋭角に交わる形状を有する平板状の基部（５）と、
前記基部の片面に設けられ、指先が前記頂点方向を向くように前記片面上に手（Ｈ）が載せられたときに当該手の少なくとも一部の指（Ｆ２，Ｆ３，Ｆ４）で挟まれることによって前記基部を重力に抗して保持可能とするように構成された保持部（３Ａ，３Ｂ）と、
前記基部の他面に設けられ、液状コーティング剤塗布用の布を前記他面に沿って装着可能とするように構成された装着部（７）と、
を備えた塗布具。
【請求項２】
請求項１に記載の塗布具であって、
前記装着部は、前記布の繊維に係合する雄型面ファスナである塗布具。
【請求項３】
請求項１又は２に記載の塗布具であって、
前記装着部は、前記装着された布を重力に抗して保持する力が０．３Ｎ以上である塗布具。
【請求項４】
請求項１〜３のいずれか１項に記載の塗布具であって、
前記保持部は、前記片面から起き上がりつつ互いに離反する方向に傾斜した一対の係止片である塗布具。
【請求項５】
請求項４に記載の塗布具であって、
前記一対の係止片は、前記基部の前記他面に貼り付けられた樹脂板（３）を切り起こした構造を有する塗布具。
【請求項６】
請求項４又は５に記載の塗布具であって、
前記一対の係止片の一方（３Ｂ）は、前記手の第２指（Ｆ２）と第３指（Ｆ３）との間に挟まれ、
前記一対の係止片の他方（３Ａ）は、前記手の第３指と第４指（Ｆ４）との間に挟まれ、
前記基部は、前記一方の係止片よりも前記他方の係止片から離れる側の部分の方が、前記他方の係止片よりも前記一方の係止片から離れる側の部分よりも、大きく構成された塗布具。
【考案の詳細な説明】
【技術分野】
【０００１】
本考案は、コーティング剤を塗布するための塗布具に関する。
【背景技術】
【０００２】
従来、車両のフロントガラス等に、例えば紫外線又は赤外線の遮断等を目的として、液状コーティング剤を塗布することがなされている。この種の液状コーティング剤は、スポンジやマイクロファイバークロス（すなわち、マイクロファイバーを用いて編まれた布）に付けて手作業で塗布されるのが一般的である。また、この種の液状コーティング剤を塗布するための塗布具としては、外向きに凸となるように湾曲した面を有する芯材の前記面に極細繊維シートを装着し、芯材の前記面とは反対側に取り付けられた棒状の持ち手を持って塗布作業を行う塗布具が提案されている（特許文献１参照）。
【先行技術文献】
【特許文献】
【０００３】
【特許文献１】特開２００３−１６４７９３号公報
【考案の概要】
【考案が解決しようとする課題】
【０００４】
しかしながら、車両のフロントガラス(以下、単にフロントガラスという)近傍には、インストルメントパネルにおけるスピードメータ等を収納した箇所（以下、メータ部という）等のような構造物が配置される。特許文献１に記載の塗布具は、家庭のサッシ等に液状コーティング剤を塗布する用途を想定したもので、芯材が比較的大きく、メータ部とフロントガラスとの隙間のような狭い箇所に液状コーティング剤を塗布するのには不向きであった。また、スポンジやマイクロファイバークロスを手で持って塗布する方法では、手が汚れたり、掌の各部における力の入り方の違いに応じて塗布ムラができたりする可能性がある。
【０００５】
本考案は、こうした問題にかんがみてなされたものであり、フロントガラス等の塗布対象に対して均一に液状コーティング剤を塗布することができ、手が汚れるのも抑制可能な塗布具を提供することを目的としている。
【課題を解決するための手段】
【０００６】
本考案の塗布具は、１つの頂点（５Ａ）を挟んで隣接する一対の直線状の端縁（５Ｂ，５Ｃ）が前記頂点にて鋭角に交わる形状を有する平板状の基部（５）と、前記基部の片面に設けられ、指先が前記頂点方向を向くように前記片面上に手（Ｈ）が載せられたときに当該手の少なくとも一部の指（Ｆ２，Ｆ３，Ｆ４）で挟まれることによって前記基部を重力に抗して保持可能とするように構成された保持部（３Ａ，３Ｂ）と、前記基部の他面に設けられ、液状コーティング剤塗布用の布を前記他面に沿って装着可能とするように構成された装着部（７）と、を備える。
【０００７】
このように構成された塗布具は、平板状の基部の片面に、指先が前記頂点方向を向くように手を載せ、少なくとも一部の指で保持部を挟んで使用される。すると、保持部が指で挟まれたことによって、基部を重力に抗して手と一体に保持することができる。このとき、基部の他面に設けられた装着部によって、液状コーティング剤塗布用の布を前記他面に沿って装着しておけば、その布をフロントガラス等の塗布対象に当てながら液状コーティング剤を塗布することができる。このため、塗布の要領は、前記布を直接手で扱う場合と同様になり、作業者に違和感が与えられない。また、基部は板状であるので、メータ部とフロントガラスとの隙間のような狭い箇所にも液状コーティング剤を良好に塗布することができる。更に、手と布との間に板状の基部が介在するので、手が汚れたり、掌の各部における力の入り方の違いに応じて塗布ムラができたりするのも抑制することができる。
【０００８】
また更に、基部は、１つの頂点を挟んで隣接する一対の直線状の端縁が前記頂点にて鋭角に交わる形状を有しているので、前記端縁をフロントガラスの上端縁や下端縁に合わせて塗布具を動かすことにより、フロントガラスの隅々まで均一にコーティング剤を塗布することができる。ここで、「頂点」とは、厳密な意味での頂点（すなわち角）に限るものではなく、目的とする効果を奏するのであれば厳密に頂点でなくてもよい。例えば、頂点部分に円弧状又は多角形状の面取りがなされていてもよい。
【０００９】
また、前記装着部は、前記布の繊維に係合する雄型面ファスナであってもよい。なお、雄型面ファスナとは、繊維に係合するフック状の起毛が密集されたシートである。その場合、前記布の着脱は装着部に押圧したり引きはがしたりすることによってなされ、当該着脱が容易となる。
【００１０】
また、前記装着部は、前記装着された布を重力に抗して保持する力が０．３Ｎ以上であってもよい。フロントガラス１枚に塗布されるコーティング剤の質量は、３５ｇ程度になる場合がある。このため、装着部は、３５ｇ程度の質量の布を、重力に抗して保持できるのが望ましい。フロントガラス１枚に対してコーティング剤を一気に塗布できるようにするためには、装着部は、前記装着された布を重力に抗して保持する力が、少なくとも０．３Ｎ（すなわち約３０ｇ重）以上であるのが望ましい。
【００１１】
また、前記保持部は、前記片面から起き上がりつつ互いに離反する方向に傾斜した一対の係止片であってもよい。その場合、基部の片面に載せた手における第２指と第３指との間に一方の係止片を挟み、当該第３指と前記手における第４指との間にもう一方の係止片を挟むことによって、塗布具を容易に保持することができる。しかも、一対の係止片は、基部の上面から起き上がりつつ互いに離反する方向に傾斜しているので、第２指及び第４指に各係止片が良好に係合し、より良好に塗布具を手で保持することができる。
【００１２】
そして、その場合、前記一対の係止片は、前記基部の前記他面に貼り付けられた樹脂板（３）を切り起こした構造を有してもよい。その場合、塗布具を構成する部品点数が少なくて済み、当該塗布具の製造コストを良好に低減することができる。また、基部の前記他面に樹脂板が貼り付けられることにより、基部の強度を補償することもできる。
【００１３】
また、前述のように保持部を一対の係止片で構成した場合、前記一対の係止片の一方（３Ｂ）は、前記手の第２指（Ｆ２）と第３指（Ｆ３）との間に挟まれ、前記一対の係止片の他方（３Ａ）は、前記手の第３指と第４指（Ｆ４）との間に挟まれ、前記基部は、前記一方の係止片よりも前記他方の係止片から離れる側の部分の方が、前記他方の係止片よりも前記一方の係止片から離れる側の部分よりも、大きく構成されてもよい。その場合、前記手で塗布具を保持したとき、前記手の第１指及び第５指は基部の上面に容易に添えることができる。
【００１４】
なお、この欄及び実用新案登録請求の範囲に記載した括弧内の符号は、一つの態様として後述する実施形態に記載の具体的手段との対応関係を示すものであって、本考案の技術的範囲を限定するものではない。
【図面の簡単な説明】
【００１５】
【図１】実施形態の塗布具の構成を表す図で、図１Ａは平面図、図１Ｂは背面図、図１Ｃは底面図、図１Ｄは左側面図、図１Ｅは斜視図である。
【図２】前記塗布具の使用例を表す説明図である。
【考案を実施するための形態】
【００１６】
以下、図面を参照しながら、考案を実施するための形態を説明する。
［１．実施形態の構成］
図１Ａ〜図１Ｅに示す実施形態の塗布具１は、全体として概略平板状に構成されており、片面に右手Ｈ（図２参照）を載せて使用される。以下、塗布具１に対して右手Ｈが載せられる側が上と定義され、かつ、その右手Ｈの指先方向が前と定義されるように、上下左右前後の方向を定義して説明を行う。これらの方向も、図に矢印で示したので参照されたい。但し、これらの各方向は、塗布具１を構成する各部の相対的な位置関係を簡潔に説明するために規定した方向にすぎない。実際に塗布具１を利用するに当たって、塗布具１がどのような方向に向けられるかは任意であり、例えば、図中に示す上下方向が重力との関係で鉛直方向とは一致しない状態で使用されてもかまわない。
【００１７】
図１Ｂ，図１Ｄに示すように、塗布具１は、上側から樹脂板３，基部５，面ファスナ７を順次積層した構成を有している。基部５は、平板状の板材によって構成され、その平面形状は、１つの頂点５Ａを挟んで隣接する一対の直線状の端縁５Ｂ，５Ｃが、頂点５Ａにて鋭角に交わる形状となっている。なお、基部５を構成する板材は、木製であっても樹脂製であってもその他の材料から構成されてもよい。また、前記鋭角とは、文字通り０°より大きく９０°未満であればよいが、望ましくは３０°〜６０°である。
【００１８】
端縁５Ｂ，５Ｃの直線部の長さは、特に限定されないが、例えば、それぞれ１００ｍｍ前後（例えば７０〜１３０ｍｍ）の長さを有してもよく、両者の長さは異なってもよい。端縁５Ｂ，５Ｃにおける頂点５Ａとは反対側の端部は、外に凸となる円弧状端縁で滑らかに連結されており、基部５の平面形状は全体として滴形に構成されている。
【００１９】
樹脂板３は、板状の樹脂（例えば半透明の樹脂）によって基部５より若干小さい相似形に構成され、両面粘着テープ９を介して基部５に貼り付けられている。なお、図１に示すように、両面粘着テープ９は、樹脂板３の外周に沿って略三角形に貼り付けられている。
【００２０】
また、樹脂板３には、次のような一対の係止片３Ａ，３Ｂが形成されている。樹脂板３には、互いに開口部を対向させた一対のＵ字形の切り込み３Ｃ，３Ｄが形成されている。すなわち、各切り込み３Ｃ，３Ｄは、互いに同一形状の矩形の３辺に対応する形状を有し、前記矩形のうち残りの１辺は、１０ｍｍ前後（例えば７〜１３ｍｍ）の間隔で平行に対向している。また、この残りの１辺は、それぞれの延長線が端縁５Ｃにおける頂点５Ａ寄りの位置を通り、かつ、基部５の全体における頂点５Ａから比較的離れた側の位置に配置されている。そして、各切り込み３Ｃ，３Ｄの内側の矩形部分が斜めに起こされることにより、一対の矩形の係止片３Ａ，３Ｂが形成されている。従って、一対の係止片３Ａ，３Ｂは、基部５の上面（すなわち前記片面）から起き上がりつつ互いに離反する方向に傾斜した構成となっている。但し、基部５は、左側の係止片３Ｂよりも左側の部分が、右側の係止片３Ａよりも右側の部分より若干大きくなるように、左右非対称に構成されている。
【００２１】
面ファスナ７は、基部５と同一形状の平板状に構成され、基部５の下面に重なるように貼り付けられている。面ファスナ７は、繊維に係合するフック状の起毛が下面に密集された雄型面ファスナである。面ファスナ７の下面には、液状コーティング剤塗布用の布（図示省略）が基部５の下面に沿って装着される。この布は、基部５と相似形で、基部５よりも各方向に２〜３ｍｍ程度大きいのが好ましい。また、この布は、例えばマイクロファイバーによって編まれたものであってもよい。前記装着された布を面ファスナ７が重力に抗して保持する力は、例えば０．３５Ｎ以上であるのが望ましい。
【００２２】
［２．実施形態の作用・効果］
このように構成された塗布具１は、面ファスナ７に前述のような液状コーティング剤塗布用の布を装着し、当該布に液状コーティング剤を含浸させて使用される。１枚のフロントガラスＷに塗布されるコーティング剤の質量は、３５ｇ程度になる場合がある。面ファスナ７が前記装着された布を重力に抗して保持する力が０．３５Ｎ（すなわち約３５ｇ重）以上である場合、１枚のフロントガラスＷに対してコーティング剤を途中で補充せずに一気に塗布することができる。
【００２３】
また、塗布具１は、次のようにして右手Ｈで重力に抗して保持することができる。すなわち、図２に示すように、基部５の上面（厳密には樹脂板３の上面）に、指先が頂点５Ａ方向を向くように右手Ｈを載せる。そして、その右手Ｈにおける第２指Ｆ２と第３指Ｆ３との間に係止片３Ｂを挟み、右手Ｈにおける第３指Ｆ３と第４指Ｆ４との間に係止片３Ａを挟む。こうすることによって、塗布具１は右手Ｈで容易に保持することができる。しかも、一対の係止片３Ａ，３Ｂは、基部５の上面から起き上がりつつ互いに離反する方向に傾斜しているので、第２指Ｆ２及び第４指Ｆ４に係止片３Ａ及び３Ｂが良好に係合し、より良好に塗布具１を右手Ｈで保持することができる。
【００２４】
樹脂板３及び基部５は、左側の係止片３Ｂよりも左側の部分の方が、右側の係止片３Ａよりも右側の部分より若干大きくなるように構成されているので、このように右手Ｈで塗布具１を保持したとき、第１指Ｆ１及び第５指Ｆ５は樹脂板３の上面に容易に添えることができる。このように右手Ｈで塗布具１を保持することにより、面ファスナ７に装着された布をフロントガラスＷ等の塗布対象に当てながら液状コーティング剤を塗布することができる。このため、塗布の要領は、前記布を直接手で扱う場合と同様になり、特許文献１のように持ち手を持って塗布を行う場合に比べて作業者に違和感が与えられない。
【００２５】
また、基部５は、頂点５Ａを挟んで隣接する一対の直線状の端縁５Ｂ，５Ｃが頂点５Ａにて鋭角に交わる形状を有しているので、図２に実線で示すように、端縁５ＢをフロントガラスＷの上端縁ＷＵに容易に合わせて塗布具１を動かすことができる。同様に、図２に二点鎖線で示すように、端縁５ＣをフロントガラスＷの下端縁ＷＬに合わせて塗布具１を動かしたり、メータ部ＭとフロントガラスＷとの隙間に頂点５Ａを挿入して塗布具１を動かしたりするのも容易である。従って、フロントガラスＷの隅々まで均一にコーティング剤を塗布することが容易にできる。特に、基部５は板状であるので、メータ部ＭとフロントガラスＷとの隙間のような狭い箇所にも液状コーティング剤を良好に塗布することができる。更に、右手Ｈと前記布との間に板状の基部５が介在するので、右手Ｈが汚れたり、掌の各部における力の入り方の違いに応じて塗布ムラができたりするのも、良好に抑制することができる。
【００２６】
［３．実用新案登録請求の範囲の要素との対応］
なお、前記実施形態において、一対の係止片３Ａ，３Ｂが保持部に対応し、面ファスナ７が装着部に対応する。
【００２７】
［４．他の実施形態］
以上、本考案を実施するための形態について説明したが、本考案は上述の実施形態に限定されることなく、種々変形して実施することができる。
【００２８】
（４Ａ）前記実施形態の塗布具１は、右手Ｈで保持されるいわゆる右利き用の塗布具であるが、左手で保持される左利き用の塗布具は図１に示したものと左右対称になる。
（４Ｂ）前記実施形態では、端縁５Ｂ，５Ｃにおける頂点５Ａとは反対側の端部は、外に凸となる円弧状に滑らかに連結されているが、これに限定されるものではない。端縁５Ｂ，５Ｃにおける頂点５Ａとは反対側の端部は、例えば直線状に連結されて基部５が全体として三角形に構成されてもよく、その他の形状で連結されてもよい。
【００２９】
（４Ｃ）前記実施形態では、面ファスナ７によって装着部を構成しているが、これに限定されるものではない。例えば、基部５に、前記布を糸で縛り付けるための穴又は溝を装着部として設けてもよい。但し、前述のような面ファスナ７によって装着部を構成した場合、前記布の着脱は面ファスナ７に押圧したり引きはがしたりすることによってなされ、当該着脱が容易となる。
【００３０】
（４Ｄ）前記実施形態では、樹脂板３から切り起こした一対の係止片３Ａ，３Ｂによって保持部を構成しているが、これに限定されるものではない。例えば、樹脂板３を切り起こすだけでは形成できないような立体的な（すなわち厚みのある）形状を有する保持部を採用してもよく、樹脂板３を省略して係止片３Ａ，３Ｂのみを接着等によって基部５に取り付けてもよい。また、保持部は、第２指Ｆ２と第３指Ｆ３とによってのみ挟まれてもよく、第３指Ｆ３と第４指Ｆ４とによってのみ挟まれてもよく、他の指の間に挟まれてもよい。また、保持部は、１本の指を挿入可能な筒状に構成され、当該挿入された指とその指に隣接する他の指とによって挟まれてもよい。すなわち、保持部は、重力に抗して基部を保持可能とするものであればよい。
【００３１】
但し、前記実施形態のように、樹脂板３から切り起こした係止片３Ａ，３Ｂによって保持部を構成した場合、塗布具１を構成する部品点数が少なくて済み、当該塗布具１の製造コストを良好に低減することができる。また、基部５の上面に樹脂板３が貼り付けられることにより、基部５の強度を補償することもできる。なお、係止片３Ａ，３Ｂの先端を円弧状等に構成したり、係止片３Ａと係止片３Ｂとで形状又は大きさを異ならせたりした場合でも、前記実施形態と同様の効果が生じる。
【００３２】
（４Ｅ）前記実施形態では、頂点５Ａを鋭角に尖った角部としたが、これに限定されるものではない。頂点５Ａには、例えば、円弧状又は多角形状の面取りがなされていてもよい。
【００３３】
（４Ｆ）前記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、前記実施形態の構成の一部を省略してもよい。また、前記実施形態の構成の少なくとも一部を、他の前記実施形態の構成に対して付加又は置換してもよい。なお、実用新案登録請求の範囲に記載した文言のみによって特定される技術思想に含まれるあらゆる態様が本考案の実施形態である。
【符号の説明】
【００３４】
１…塗布具                    ３…樹脂板            ３Ａ，３Ｂ…係止片
３Ｃ，３Ｄ…切り込み          ５…基部              ５Ａ…頂点
５Ｂ，５Ｃ…端縁              ７…面ファスナ        ９…両面粘着テープ
【図１】
0003206612.tif 000003
【図２】
0003206612.tif 000004